(57)【特許請求の範囲】
【請求項１】
被写体を撮影装置によって撮影して得られた画像を表示する媒体を観賞物として所定の観賞推奨範囲から観賞するために、
前記観賞物と、前記観賞物に対して前記観賞推奨範囲側に位置し、前記観賞推奨範囲から観賞した場合に前記観賞物の少なくとも一部を遮蔽する観賞演出材と、を配置する工程を備える観賞物の展示方法であって、
前記配置する工程で配置する前記観賞物と前記観賞演出材との間の距離を、前記被写体を撮影したときの前記被写体と前記撮影装置との間の距離である撮影距離に応じて設定する工程を更に有し、
前記設定する工程では、前記撮影距離が第１の距離である場合よりも、前記撮影距離が前記第１の距離より長い第２の距離である場合の方が、前記観賞物と前記観賞演出材との間の距離を長くとるようにすることを特徴とする展示方法。
【請求項２】
前記設定する工程では、前記観賞推奨範囲内の観賞者の前記観賞物からの距離をＺ１、前記観賞物中の前記被写体の画像のサイズをＹ１、前記撮影距離をＺ２、撮影時の前記被写体のサイズをＹ２、とするとき、
Ｚ１≧（Ｚ２×Ｙ１）／Ｙ２
を満たすようにＺ１を設定することを特徴とする請求項１に記載の展示方法。
【請求項３】
前記観賞推奨範囲において、前記観賞物に最も近い距離は２メートル以上であることを特徴とする請求項１または２に記載の展示方法。
【請求項４】
前記観賞演出材は、前記観賞物と前記観賞物が取り付けられる展示面との境界を遮蔽するように配置すること特徴とする請求項１ないし３のいずれか１項に記載の展示方法。
【請求項５】
前記観賞物は、前記画像を表示する面が水平方向に対して交差するように設けられ、前記観賞物と前記観賞物が取り付けられる展示面との境界の位置は、前記観賞推奨範囲において前記観賞物から最も遠い位置の観賞者が前記観賞物の中央を注視した場合に、当該観賞者の水平方向の視野に入らない位置とすることを特徴とする請求項１ないし４のいずれか１項に記載の展示方法。
【請求項６】
前記観賞推奨範囲に観賞者を誘導するための誘導路を表示することを特徴とする請求項１ないし５のいずれか１項に記載の展示方法。
【請求項７】
前記観賞物は、前記画像を表示する面が水平方向に対して交差するように設けられ、前記Ｙ１は前記観賞物中の前記被写体の縦方向のサイズであり、前記Ｙ２は撮影時の前記被写体の高さ方向のサイズであること特徴とする請求項２に記載の展示方法。
【請求項８】
前記撮影装置はデジタルカメラであり、前記撮影距離は、撮影画角、センササイズおよび焦点距離から算出することを特徴とする請求項１ないし７のいずれか１項に記載の展示方法。
【請求項９】
前記観賞物は、前記媒体にインクジェットプリンタによって前記画像を記録することで得られたものであることを特徴とする請求項１ないし８のいずれか１項に記載の展示方法。
【請求項１０】
被写体を撮影装置によって撮影して得られた画像を表示する媒体を観賞物として観賞する観賞方法であって、
前記観賞物と、前記観賞物と観賞者が観賞する位置との間に、観賞者が前記観賞物を観賞した場合に前記観賞物の少なくとも一部を遮蔽する観賞演出材と、が配置される工程と、
前記配置される工程で配置される前記観賞物と前記観賞演出材との間の距離が、前記被写体を撮影したときの前記被写体と前記撮影装置との間の距離である撮影距離に応じて設定される工程と、を有し、
前記設定される工程では、前記撮影距離が第１の距離である場合よりも、前記撮影距離が前記第１の距離より長い第２の距離である場合の方が、前記観賞物と前記観賞演出材との間の距離を長くとられることを特徴とする観賞方法。
【請求項１１】
前記設定される工程では、前記観賞者の前記観賞物からの距離をＺ１、前記観賞物中の前記被写体の画像のサイズをＹ１、前記撮影距離をＺ２、前記被写体のサイズをＹ２、とするとき、
Ｚ１≧（Ｚ２×Ｙ１）／Ｙ２
を満たすようにＺ１が設定されることを特徴とする請求項９に記載の観賞方法。
【請求項１２】
前記観賞物と前記観賞者との距離が２メートル以上であることを特徴とする請求項９または１０に記載の観賞方法。
【請求項１３】
前記観賞物は、前記画像を表示する面が水平方向に対して交差するように設けられ、前記Ｙ１は前記観賞物中の前記被写体の縦方向のサイズであり、前記Ｙ２は撮影時の前記被写体の高さ方向のサイズであること特徴とする請求項１０に記載の観賞方法。
【請求項１４】
前記撮影装置はデジタルカメラであり、前記撮影距離は、撮影画角、センササイズおよび焦点距離から算出することを特徴とする請求項１０ないし１３のいずれか１項に記載の観賞方法。
【請求項１５】
前記観賞物は、前記媒体にインクジェットプリンタによって前記画像を記録することで得られたものであることを特徴とする請求項１０ないし１４のいずれか１項に記載の観賞方法。
【発明の詳細な説明】
【技術分野】
【０００１】
本発明は、展示方法および観賞方法に関し、詳しくは、プリント物や絵画等の観賞物を展示するための展示方法および観賞方法に関する。
【背景技術】
【０００２】
従来、展示セットの一例として、特許文献１に記載されるような、疑似窓が知られている。これは、会議室等の静粛性の確保や秘密漏洩に対する防御のために窓を設置出来ない環境において設置されるものであり、表示部に窓の外に存在し得る風景の画像を表示し、その前面に疑似的な窓枠を設置したものである。これにより、室内の人間にあたかも実際の野外の風景を眺めているかのような疑似体験をさせることを可能としている。
【先行技術文献】
【特許文献】
【０００３】
【特許文献１】特開２００８−２９７８０３号公報
【発明の概要】
【発明が解決しようとする課題】
【０００４】
しかしながら、特許文献１に記載の疑似窓は、表示される窓外の風景を見るときの「臨場感」に乏しい場合がある。単に窓を配置するだけでは臨場感が乏しく、疑似体験をさせるという効果が十分に発現されない懸念がある。なぜなら、観賞物に立体感や没入感といった「臨場感」を効果的に演出するには、展示セットにおける、観賞者と鑑賞物そして展示環境を演出する観賞演出材の位置関係を適切に設定、制御することが重要だからである。特許文献１では、鑑賞演出材としての窓と観賞物、観賞者の関係を制御できていないだけでなく、演出材（窓）の開閉により前記位置関係が崩れてしまうため、臨場感の低下が発生してしまう。
【０００５】
本発明は、上記の課題を解決するためになされたものであり、観賞物を見るときの臨場感の低下を防ぐことを可能とする観賞物の展示方法および観賞方法を提供することを目的とする。
【課題を解決するための手段】
【０００６】
本発明の展示方法は、被写体を撮影装置によって撮影して得られた画像を表示する媒体を観賞物として所定の観賞推奨範囲から観賞するために、前記観賞物と、前記観賞物に対して前記観賞推奨範囲側に位置し、前記観賞推奨範囲から観賞した場合に前記観賞物の少なくとも一部を遮蔽する観賞演出材と、を配置する工程を備える観賞物の展示方法であって、前記配置する工程で配置する前記観賞物と前記観賞演出材との間の距離を、前記被写体を撮影したときの前記被写体と前記撮影装置との間の距離である撮影距離に応じて設定する工程を更に有し、前記設定する工程では、前記撮影距離が第１の距離である場合よりも、前記撮影距離が前記第１の距離より長い第２の距離である場合の方が、前記観賞物と前記観賞演出材との間の距離を長くとるようにすることを特徴とすることを特徴とする。
【発明の効果】
【０００７】
以上の構成によれば、観賞物を見るときの臨場感の低下を防ぐことが可能となる。
【図面の簡単な説明】
【０００８】
【図１】（ａ）〜（ｄ）は、本発明の一実施形態に係る展示セットを説明する図である。
【図２】（ａ）〜（ｄ）は、観賞演出材の他の形態を示す斜視図である。
【図３】一実施形態に係る展示セットの、特に、観賞物と観賞演出材との関係、および観賞物を観賞する観賞者と観賞物における観賞対象画像との関係を説明する図である。
【図４】（ａ）〜（ｃ）は、本実施形態に係る運動視差を説明する図である。
【図５】（ａ）〜（ｃ）は、本実施形態に係る距離Ｓの変更による観賞対象画像のサイズ感の変更を説明する図である。
【図６】（ａ）および（ｂ）は、観賞物が撮像装置によって撮像された画像である場合の、観賞者が観賞物を観賞する際の観賞距離Ｚ１をと撮像距離などとの関係を説明する図である。
【発明を実施するための形態】
【０００９】
以下、図面を参照して本発明の実施形態を詳細に説明する。なお、以下の実施形態に記載されている構成要素はあくまで例示であり、本発明の範囲をそれらのみに限定する趣旨のものではないことはもちろんである。
【００１０】
図１（ａ）〜（ｄ）は、本発明の一実施形態に係る展示セットを説明する図である。これらの図において、１０１は観賞物を示しており、この観賞物は、インクジェットプリンタで画像が記録されあるいは絵が描かれた、シートやパネルとすることができる。この観賞物１０１は、壁などの展示面１０３に固定される。ここで、この固定については、接着剤や治具等で固定してもよいが特にそういうことをせずに、床上の所望位置に鑑賞演出材を置き、その位置が維持できるように展示してあればよい。展示とともに鑑賞者が鑑賞演出材を移動しないように注意喚起を示すようにしてもよし、鑑賞者が移動すべきものと思い込んで、自分から鑑賞演出材を移動するようなことがなければ、平置きしておいてよい。なお、観賞物は、展示面に直接記録されまたは描かれた画像などであってもよい。１０２は観賞演出材を示し、観賞物に対して観賞位置側に配され、木製ボードの表面に均一な色の紙を貼って形成したものである。なお、観賞演出材はこの形態に限られるものではなく、例えば、木製ボードに対して塗装などの処理を施したものや、カラーのプラスチック板、金属の板などを用いることもできる。図１（ａ）に示すように、観賞演出材１０２は、観賞物１０１から距離Ｓの相対位置に配置される。これは、詳細が後述される、観賞物１０１のサイズに基づき、観賞物１０１と展示面１０３との、特に、水平方向における境界１０５が視認されないように定められ得る距離である。なお、この「境界」は、展示物１０１が、写真のように画像の周囲に余白があるものである場合は、その余白と画像との境界を含む趣旨である。
【００１１】
図１（ｂ）は、本実施形態の展示セットを正面から見た図であり、展示面は省略されている。また、図１（ｃ）は観賞物を、図１（ｄ）は観賞演出材１０２をそれぞれ正面から見た図である。図１（ｃ）に示すように、観賞物１０１には、観賞対象画像１０１ａ、１０１ｂが存在する。これらの観賞対象画像１０１ａ、１０１ｂは、観賞者が観賞物を見るときに、特に、注目して見る可能性のある対象となるものである。また、図１（ｄ）に示す例では、観賞演出材１０２は、所定の窓枠などの枠形状をしたものであるが、この形態限られない。観賞演出材は、詳細が後述されるように、観賞物の一部を遮蔽して観賞者から観賞物の一部が見えないようにする作用をするものであり、観賞者の移動による「運動視差」の効果や「奥行き感」を生じさせるものである。図１（ｄ）に示す枠形状の観賞演出材１０２は、幅ｄ２、ｄ３を持つそれぞれ縦演出材１０２ａ、１０２ｂと、横演出材１０２ｃ、１０２ｄを有して構成される。そして、縦演出材１０２ａと縦演出材１０２ｂとの間に、観賞物を観賞するための空間が構成され、同図に示す例では幅ｄ１を有するものである。縦演出材１０２ａ、１０２ｂそれぞれの幅ｄ２、ｄ３は、観賞者が、上述の、水平方向における境界１０５を視認させないような、幅ないし配置とすることができる。さらに、本実施例形態における観賞演出材は、観賞物と観賞者の間に固定する。詳細な理由は後述するが、観賞演出材を用いることで観賞物に立体感、奥行き感や没入感といった「臨場感」を演出することができる。本発明ではその効果を十分に得るために、観賞演出材と観賞物、観賞者の適切な位置関係を制御するので、適切な位置に観賞演出材が固定されている方が効果を得やすい。例えば、観賞時に、観賞演出材が形状や位置を変化させると奥行き感等が低下してしまう状態が発生し、展示セットの臨場感が損なわれる懸念がある。また、前述の理由から観賞演出材は固定されていることが望ましいため、実環境では本来あまり静止していないものよりは、実環境で静止しているものの方がよい。例えば動物を模った観賞演出材はそれが静止し続けることでむしろ違和感が生ずることも考えられ、実施形態の観賞演出材としては実環境で静止しているものを用いることが望ましい。
【００１２】
図２（ａ）〜（ｄ）は、観賞演出材の他の形態を示す斜視図であり、図１（ａ）と同様の図である。なお、これらの図では、展示面１０３の図示は省略されている。
【００１３】
図２（ａ）に示す観賞演出材２０１は、３つの縦演出材２０１ａ、２０１ｂ、２０１ｃを有するものであり、両端に円柱状の縦演出材２０１ａ、２０１ｂを配置し、中央に、両端よりは細い円柱状の縦演出材２０１ｃを配置したものである。さらに、図２（ｄ）に示す観賞演出材は、鑑賞物１０１の中央と左右端部それぞれとの間に固定された２つの角柱状の縦演出材２０５、２０６からなる。これらは鑑賞物と設定された間隔を置いて離れている。２つの角柱状の縦演出材２０５、２０６の最も鑑賞者側の表件から鑑賞物１０１０までの距離はＳである。また、図２（ｂ）に示す観賞演出材は、２つの樹木状の縦演出材２０２、２０３からなるものである。さらに、図２（ｃ）に示す観賞演出材２０４は、観賞演出材の水平方向両側の奥行き部分にも演出材が存在する、箱状（上下方向の上および下側には演出材は存在しない）のものである。図２において観賞物は平らな展示面上に存在しているが、観賞物の形状はこれに限らず、観賞者を取り囲むような円柱内部やドーム形状面に存在してもよい。そのような場合においても、観賞演出材を観賞者と観賞物間に固定して配置することが本実施例の特徴である。
【００１４】
以上のように、本発明の実施形態に係る観賞演出材は、少なくとも縦演出材が存在するものであり、この縦演出材が、観賞者に対して観賞物の一部を遮蔽し、また、観賞物と展示面との境界を観賞者が視認できないように、その配置などが定められることができる。
【００１５】
図３は、本実施形態に係る展示セットの、特に、観賞物１０１と、観賞演出材１０２との関係、および観賞物を観賞する観賞者３０１と観賞物における観賞対象画像１０１ａとの関係を説明する図である。なお、同図は、図１（ａ）と同様の図であるが、図３では、観賞演出材の縦演出材１０２ｃ、１０２ｄが追加されて形態となっている。
【００１６】
観賞者３０１（観賞物からの距離Ｚ）が観賞物１０１を見るとき、先ず、人の眼の焦点調整機能が考慮される。すなわち、人の眼の焦点調整機能によって奥行きを認識できるのは、個人差があるが、一般的に２メートルであり、この距離より短い距離で観賞物を観賞すると、焦点調整機能によって観賞物１０１が平面に存在することを認識してしまい奥行き感が得られなくなる。この点から、観賞者が観賞する範囲として推奨される観賞推奨範囲３０２とするとき、観賞物１０１から最も近い距離３０４の条件として、上記２メートル以上とする。一方、観賞物と観賞者が最も遠くなる距離３０５の条件を、観賞者が観賞物１０１の観賞対象画像１０１ａの中央を注視したときに、観賞物１０１の水平方向の端１０４（展示面１０３との境界１０５）が、観賞者３０１の同じ水平方向の視野の範囲に入る距離以下とする。すなわち、人間の視野は、個人差はあるが、一般的に両目で同時に見える範囲は１２０度程度であり、上記最も遠い距離より長い距離では、観賞者の視野には観賞物の全体が入り、観賞者は観賞物がプリント物など平面的なものであると感じ、臨場感が損なわれてしまう。
【００１７】
この場合、上記境界が観賞者の水平方向の視野の範囲に入る距離そのものに設定した場合、上述したように、臨場感が損なわれるおそれがある。そこで、本実施形態は、観賞演出材１０２の縦演出材（１０２ａ、１０２ｂなど）によって、上記境界１０５が観賞者の視界に入らないようにする。具体的には、観賞演出材１０２の縦演出材の、水平方向のサイズおよび位置を適切に定める。これにより、観賞者３０１が観賞物１０１の、特に観賞対象画像（１０１ａなど）を注視しながら観賞推奨範囲３０２を移動するとき、観賞者の視界に境界１０５が入らないようにする。特許文献１においては、擬似窓を見る観賞者が、風景を表示する表示部とそれが設置されている窓枠との境界を視認すると、表示部の平面性を感じ臨場感が低下することがある。特に、見る者が移動しながら観賞物を見るときに、このような境界を視認する可能性が高くなる。
【００１８】
ここで、ある水平方向のサイズを持つ観賞物１０１に対する、図１、図２などに示した、１つの観賞演出材１０２の配置などを考えると、観賞物１０１と観賞演出材１０２との距離Ｓは、上記第２条件に関連して定めることができる。すなわち、観賞物１０１の水平方向の展示面１０３との境界１０５が、観賞者３０１の同じ水平方向の視野の範囲に入る距離は、上記最も近い距離３０４に対応し人間の視野の範囲１２０度によって決まる。この条件で、ある配置やサイズの観賞演出材１０２を介して、ある水平方向のサイズを持つ観賞物１０１を見たときに、境界１０５がその視界に入らないように、距離Ｓを定めることができる。そして、この距離Ｓを観賞推奨範囲の全体で調整することにより、適切な距離Ｓの範囲を求めることができる。
【００１９】
さらに、本発明の実施形態に係る、観賞演出材１０２は、観賞物１０１を観賞するときの立体感や没入感といった「臨場感」の効果を生じさせるものであり、その作用として、（１）運動視差の作用、（２）遮蔽と相対的大きさと密度、がある。
【００２０】
「運動視差」は、観賞者の視点または観賞対象画像（観賞物）が移動することによって生じる視差である。観賞演出材が、観賞者と観賞物との間に存在すると、観賞者が観賞物（の観賞対象画像）を注視しながら移動したときに、観賞演出材は視野内での変化量が大きく（速度が速く）、観賞物は変化量が小さい（速度が遅い）。この変化量ないし変化の速度の差が運動視差の作用である。
【００２１】
図４（ａ）〜（ｆ）は、本実施形態に係る運動視差を説明する図である。図４（ａ）に示す状態から、観賞者３０１が図４（ｂ）に示すように、観賞物演出材の縦演出材１０２ａ（縦演出材を代表的に表したもので、「１０２ａ」に限られない）を注視（５０５）しながら、Ｘ軸の負の方向に移動すると、図４（ｃ）に示すように、縦演出材１０２ａによる観賞対象画像１０１ａの遮蔽位置が変化する。さらに、図４（ｄ）に示すように、縦演出材１０２ａを注視（５０７）しながら、Ｘ軸の正の方向に移動した場合、図４（ｅ）、（ｆ）に示すように、鑑観賞物演出材の縦演出材１０２ａによる観賞物１０１の観賞対象画像１０１ａの遮蔽位置が変化する。このように、観賞者の移動に応じて、観賞者の視野内での観賞演出材の変化量と、観賞物上の視点の変化量に差が生じ、この違いにより観賞者は観賞する観照対象画像に奥行きを知覚する。このように、観賞演出材を用いることにより、観賞物に対する立体感や没入感といった「臨場感」の効果を生じさせることが可能となる。
【００２２】
「遮蔽」は、複数の対象物のうち、ある対象物が他の対象物の一部を隠している場合に、上記のある対象物が他の対象物より前に存在すると知覚する、人間の立体知覚の一種である。本実施形態では、観賞演出材１０２を観賞物１０１と観賞者３０１の間に置くことにより、観賞者は、それと観賞物との奥行きを知覚するとともに、観賞物と観賞演出材との距離からさらに観賞物の複数の観賞対象画像の空間的位相配置で経験的に奥行きを知覚する。
【００２３】
なお、観賞演出材を用いて観賞物を「遮蔽」する位置は、例えば、図２（ｃ）に示す「道路」１０１ｅのような「遠近感」を構成する観賞対象画像を遮蔽しない位置とする。上述した「運動視差」や「遮蔽」と同様、観賞物における「線遠近」要素は、これを観賞者が観賞可能なように観賞演出材を配置することが望ましい。
【００２４】
観賞物と観賞演出材との距離Ｓは、図３にて上述したように、観賞物１０１の水平方向のサイズに応じて定めることができる。本実施形態では、さらにこの定めた距離Ｓの範囲内でその距離を調整することにより、観賞対象画像のサイズ感を変える。
【００２５】
図５（ａ）〜（ｃ）は、本実施形態に係る距離Ｓの変更による観賞対象画像のサイズ感の変更を説明する図である。
【００２６】
図５（ａ）は、観賞対象画像１０１ａのサイズを実物相当サイズと知覚する状態（以下、状態１）を示し、このとき、観賞者３０１の観賞距離（観賞物から観賞者までの距離）Ｚに対して、観賞物（１０１ａ）と観賞演出材（１０２ａ）との距離をＳ１の関係がある。この状態に対し、観賞距離Ｚを変えずに、図５（ｂ）に示すように、観賞物（１０１ａ）と観賞演出材（１０２ａ）との距離を、状態１より短いかくしてＳ２（＜Ｓ１）とする。この結果、観賞者３０１が距離ｌだけ移動したときの、上述した運動視差の作用によって、観賞対象画像１０１ａ変化量ｄ２は、状態１で同じ距離ｌだけ移動したときの変化量ｄ１より小さくする。この結果、観賞者は、観賞対象画像１０１ａを実サイズ相当より大きく知覚する。一方、観賞距離Ｚを変えずに、図５（ｃ）に示すように、観賞物（１０１ａ）と観賞演出材（１０２ａ）との距離を、状態１より長くしてＳ３（＞Ｓ１）とする。この結果、観賞者３０１が距離ｌだけ移動したときの、上述した運動視差の作用によって、観賞対象画像１０１ａ変化量ｄ３は、状態１で同じ距離ｌだけ移動したときの変化量ｄ１より大きくなる。この結果、観賞者は、観賞対象画像１０１ａを実サイズ相当より小さく知覚する。
【００２７】
また、本実施形態では、観賞物と観賞演出材との距離Ｓは、上述した観賞物１０１の水平方向のサイズに応じて定めた範囲内で、観賞物の画像を撮像したときの、カメラなどの撮影装置と観賞対象画像となる被写体との距離に応じて設定する。すなわち、観賞者の観賞距離Ｚが一定の場合、撮影時の撮影距離が長い画像の観賞物ほど、観賞演出材と観賞物の距離Ｓを長く設定する。これにより、図５にて上述したように、撮影距離が長い画像ほど、運動視差による観賞対象画像の変化量を大きくして観賞対象画像を小さく知覚するようにすることができる。
【００２８】
さらに、本実施形態では、図６（ａ）および（ｂ）に示すような、観賞物が撮像装置によって撮像された画像である場合、観賞者３０１が観賞物を観賞する際の観賞距離Ｚ１を以下の式（１）で求める範囲の距離とする。すなわち、観賞物中の観賞対象画像１０１ａのサイズをＹ１、観賞対象画像を撮影時の撮影装置４０１と観賞対象画像１の距離をＺ２、観賞対象画像４０２の実際のサイズをＹ２とするとき、以下の式で示される。  
Ｚ１≧（Ｚ２×Ｙ１）／Ｙ２    式（１）
なお、実際は、撮像装置であるデジタルカメラ等に様々な焦点距離のレンズを付けて撮影するので、距離Ｚ２は、「撮影画角」、「センササイズ」、「焦点距離」から算出する。
【００２９】
観賞者は、観賞時に、観賞物１０１の観賞対象画像１０１ａの実際のサイズＹ２を経験的に推定しており、観賞物の観賞対象画像１０１ａのサイズがＹ１であれば、どれくらいの距離から観賞対象画像１０１ａを見ているかを推測する。知覚的な大きさを推定するときに知覚的な大きさが影響を与えているという観点から、観賞距離Ｚ１がその推定した距離に当てはまらない場合は、観賞物に対する違和感を生じ、結果として臨場感が低下する。以上のように、撮影時の観賞対象画像４０２の大きさと撮影時の距離Ｚ２と、観賞時の観賞物の観賞対象画像１０１ａのサイズと観賞者との距離Ｚ１と、の関係を式（１）によって設定することにより、観賞者に効果的な臨場感を提供することができる。距離Ｚ１が式（１）を満たさない場合は、観賞者が観賞物により近づくことになり、観賞物の観賞対象画像のサイズが大きく知覚される。そして、移動量に対して、観賞対象画像１の知覚サイズの変化量が大きくなるため、実際の環境または撮影時おける距離とサイズの関係性が崩れてしまうため臨場感が得られない。
【００３０】
なお、上述した展示セットにおいて、さらに観賞者が観賞する観賞推奨範囲（図３において距離３０４と距離３０５との間の範囲）を示す誘導路表示などをさらに加えてもよい。これにより、観賞者を観賞推奨範囲の内部に容易に誘導することができる。
【符号の説明】
【００３１】
１０１    観賞物
１０１ａ〜１０１ｃ    観賞対象画像
１０２    観賞演出材
１０２ａ〜１０２ｄ    縦演出材
１０３    展示面
１０５    観賞物と展示面との境界
Ｓ    観賞物と観賞演出材との距離
【図１】
0006771867.tif 000002
【図２】
0006771867.tif 000003
【図３】
0006771867.tif 000004
【図４】
0006771867.tif 000005
【図５】
0006771867.tif 000006
【図６】
0006771867.tif 000007